【事件の表示】
　特許第３２３９２８１号「作業機姿勢制御装置」の請求項１、２に係る特許に対する特許異議の申立てについて、次のとおり決定する。
【結　論】
　訂正を認める。
　特許第３２３９２８１号の請求項１に係る特許を取り消す。
【理　由】
１．手続の経緯
　本件特許第３２３９２８１号の請求項１及び２に係る発明についての出願は、平成５年４月９日に特許出願され、平成１３年１０月１２日にその発明について特許権の設定登録がなされ、その後、本件請求項１及び２に係る発明の特許に対し、異議申立人三菱農機株式会社より特許異議の申立てがなされ、取消の理由が通知され、その指定期間内である平成１５年１月１４日に訂正請求がなされたものである。
　
２．訂正の適否についての判断
２−１．訂正の内容
（１） 訂正事項ａ
　特許請求の範囲について、「【特許請求の範囲】
【請求項１】　トラクタの後部に、前後方向軸回りに回動自在なブラケットを連結し、該ブラケットに作業機スライド検出部材を設け、更に、トラクタに設けた作業機姿勢センサーと該作業機スライド検出部材とをリンクを介して接続して成る二点リンク式作業機連結装置に於いて、
　前記ブラケットの中央上面側であって、且つ、トラクタ側近傍に前記作業機スライド検出部材が設けられ、更に、トラクタの機体一側に設けた作業機姿勢センサーと該作業機スライド部材とを前記ブラケットの上面で、且つ、左右方向に延設されたリンクを介して接続したことを特徴とする作業機姿勢制御装置。
【請求項２】　トラクタの後部に、前後方向軸回りに回動自在なブラケットを連結し、該ブラケットに作業機スライド検出部材を設け、更に、トラクタに設けた作業機姿勢センサーと該作業機スライド検出部材とをリンクを介して接続して成る二点リンク式作業機連結装置に於いて、
　前記ブラケットの中央上面に前記作業機姿勢センサーを該ブラケットと一体的に設け、該作業機姿勢センサーのアームとトラクタ側との間を上記ブラケット上面であって、且つ、左右方向に延設されたリンクを介して接続したことを特徴とする作業機姿勢制御装置。」を、
「【特許請求の範囲】
【請求項１】　トラクタの後部に、前後方向軸回りに回動自在なブラケットを連結し、該ブラケットに作業機スライド検出部材を設け、更に、トラクタに設けた作業機姿勢センサーと該作業機スライド検出部材とをリンクを介して接続して成る二点リンク式作業機連結装置に於いて、
　前記ブラケットの中央上面側であって、且つ、トラクタ側近傍に前記作業機スライド検出部材
を構成するリンク止め具を設ける一方
前記作業機姿勢センサーを装着したセットプレートを固設し、このセットプレートより後方に前記
の回動アームを突出させ、同アームと
　
（２）訂正事項ｂ
　明細書の段落【０００４】の記載について、「【０００４】
【課題を解決するための手段】本発明は上記目的を達成するために提案されたものであり、トラクタの後部に、前後方向軸回りに回動自在なブラケットを連結し、該ブラケットに作業機スライド検出部材を設け、更に、トラクタに設けた作業機姿勢センサーと該作業機スライド検出部材とをリンクを介して接続して成る二点リンク式作業機連結装置に於いて、前記ブラケットの中央上面側であって、且つ、トラクタ側近傍に前記作業機スライド検出部材が設けられ、更に、トラクタの機体一側に設けた作業機姿勢センサーと該作業機スライド部材とを前記ブラケットの上面で、且つ、左右方向に延設されたリンクを介して接続した作業機姿勢制御装置、及び、トラクタの後部に、前後方向軸回りに回動自在なブラケットを連結し、該ブラケットに作業機スライド検出部材を設け、更に、トラクタに設けた作業機姿勢センサーと該作業機スライド検出部材とをリンクを介して接続して成る二点リンク式作業機連結装置に於いて、前記ブラケットの中央上面に前記作業機姿勢センサーを該ブラケットと一体的に設け、該作業機姿勢センサーのアームとトラクタ側との間を上記ブラケット上面であって、且つ、左右方向に延設されたリンクを介して接続した作業機姿勢制御装置を提供するものである。」（本件特許公報２頁３欄１６〜３８行）とあるのを、
「【０００４】
　　【課題を解決するための手段】
　本発明は上記目的を達成するために提案されたものであり、トラクタの後部に、前後方向軸回りに回動自在なブラケットを連結し、該ブラケットに作業機スライド検出部材を設け、更に、トラクタに設けた作業機姿勢センサーと該作業機スライド検出部材とをリンクを介して接続して成る二点リンク式作業機連結装置に於いて、
　前記ブラケットの中央上面側であって、且つ、トラクタ側近傍に前記作業機スライド検出部材
を構成するリンク止め具を設ける一方
前記作業機姿勢センサーを装着したセットプレートを固設し、このセットプレートより後方に前記
の回動アームを突出させ、同アームと
を
　
（３）訂正事項ｃ
　明細書の段落【０００５】の記載について、「【０００５】
【作用】請求項１記載の発明は、作業機が左右にローリングしたときは、ブラケットがトラクタの前後方向軸回りに回動する。該ブラケットの回動は、該ブラケットの中央上面側でトラクタ側に設けられている作業機スライド検出部材により検出され、ブラケット上面で左右方向に延設されているリンクを介して作業機姿勢センサーへ伝達され、そして、ブラケットの回動量が検出される。又、請求項２記載の発明は、ブラケットの中央上面に設けられた作業機姿勢センサーが該作業機姿勢センサーのアームとトラクタ側との間をブラケットの上面であって、且つ、左右方向に延設されたリンクを介して接続されているので、作業機が左右にローリングしたときは、ブラケットの回動に伴って作業機姿勢センサーが一体的に移動し、そして、該ブラケットの回動量が検出される。」（本件特許公報２頁３欄３９行〜４欄４行）とあるのを、
「【０００５】
　　【作用】
　
作業機
　
（４）訂正事項ｄ
　明細書の段落【００１４】の記載について、「【００１４】
【発明の効果】本発明は上記実施例に詳細したように、作業機が左右にローリングしたときには、ブラケットがトラクタの前後方向軸回りに回動する。このとき、請求項１記載の発明は該ブラケットの回動は、該ブラケットの中央上面側でトラクタ側に設けられている作業機スライド検出部材により検出され、ブラケット上面で左右方向に延設されているリンクを介して作業機姿勢センサーへ伝達され、そして、ブラケットの回動量が検出される。又、請求項２記載の発明は、ブラケットの中央上面に設けられた作業機姿勢センサーが該作業機姿勢センサーのアームとトラクタ側との間をブラケットの上面であって、且つ、左右方向に延設されたリンクを介して接続されているので、作業機が左右にローリングしたときは、ブラケットの回動に伴って作業機姿勢センサーが一体的に移動し、そして、該ブラケットの回動量が検出される。斯くの如く、本発明は構成が簡素化されたことにより、低コストの作業機姿勢制御装置を得ることができると共に、リンク機構部位がブラケットの上面で左右方向に延設されているので防水防泥されることもできる。」（本件特許公報３頁５欄３１行〜６欄１８行）とあるのを、
「【００１４】
　　【発明の効果】
　本発明は上記実施例に詳細したように、作業機が左右にローリングしたときには、ブラケットがトラクタの前後方向軸回りに回動する。このとき
、
。
　
２−２．訂正の目的の適否、新規事項の有無及び拡張・変更の存否
　上記訂正事項ａは、請求項１について、「作業機スライド検出部材」の構成、「作業機姿勢センサー」及び「リンク」の取付に関する構成を限定したものであるから、特許請求の範囲の減縮を目的とした明細書の訂正に該当する。
　上記訂正事項ｂないしｄは、上記訂正事項ａと整合を図るものであるから、明りょうでない記載の釈明を目的とした明細書の訂正に該当する。
　そして、上記訂正事項ａの訂正における構成は、特許明細書の段落番号【０００８】、【０００９】、【図２】、【図４】に記載されているから、上記訂正事項ａないしｄは、新規事項の追加に該当せず、実質上特許請求の範囲を拡張し、又は変更するものでもない。
　
２−３．むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
　
３．特許異議の申立てについての判断
３−１．本件発明
　上記２．で示したように上記訂正が認められるから、本件特許第３２３９２８１号の請求項１に係る発明（以下、「本件発明」という。）は、平成１５年１月１４日に提出された訂正請求書の特許請求の範囲の請求項１に記載された次のとおりのものである。
「【請求項１】　トラクタの後部に、前後方向軸回りに回動自在なブラケットを連結し、該ブラケットに作業機スライド検出部材を設け、更に、トラクタに設けた作業機姿勢センサーと該作業機スライド検出部材とをリンクを介して接続して成る二点リンク式作業機連結装置に於いて、
　前記ブラケットの中央上面側であって、且つ、トラクタ側近傍に前記作業機スライド検出部材を構成するリンク止め具を設ける一方、トラクタの機体一側に前記作業機姿勢センサーを装着したセットプレートを固設し、このセットプレートより後方に前記作業機姿勢センサーの回動アームを突出させ、同アームと該作業機スライド部材とを前記ブラケットの上面で、且つ、左右方向に延設されたリンクを介して接続したことを特徴とする作業機姿勢制御装置。」
　
３−２．引用刊行物に記載された発明
（１）当審で通知した取消しの理由で引用した刊行物１（実願昭５９−１２６４７３号（実開昭６１−４０８０９号）のマイクロフィルム（甲第１号証の１））には、次の事項が記載されている。
(1-a).「農用トラクターの本機と作業機の相対角を検知し、作業機を一定傾斜角に制御する左右傾斜制御装置において、作業機側の回動枢支筒１７にプレート１９を立設し、本機側のリンク２０と該プレート１９を枢結し、作業機の傾斜角をワイヤ一２３の捩にて傾斜センサーに伝達すべく、プレート１９と傾斜センサー間にワイヤ一を介装したことを特徴とする農用トラクターの作業機水平制御装置。」（１頁４〜１２行）
(1-b).「本考案は農用トラクターの２点リンク式作業機装着装置に装着したロータリー耕転装置等の作業機を、圃場面の傾斜にかかわらず一定の傾斜角に維持させるために、作業機の傾斜角を傾斜センサーに伝達するための装置に関するものである。」（１頁１５〜１９行）
(1-c).「本機側２Ｐフレーム５・５は第４図に示す如く、固定板１５に固着され、固定板１５は回動枢支筒１７に固設されている。回動枢支筒１７はＰＴＯ軸１８周囲にミッションケース２より突設された回動支持筒１６に遊嵌され回動自在となっている。なお、回動枢支筒１７は抜けないようにボルトにて枢止されている。２８・２８は回動支持筒１６と回動枢支筒１７間への泥等の侵入を防ぐＯリングである。
　次に、第３図、第４図より本考案の水平制御装置を説明すると、まず、回動枢支筒１７上部にプレート１９を固設し、このプレート１９の先端にピン２１を固設して、ミッションケース２に立設したピン２２に枢支されているリンク２０の長孔２０ａにピン２１を嵌装している。よって、作業機が傾動するとプレート１９先端のピン２１が長孔２０ａ内を摺動し、リンク２０はピン２２を中心に回動するようになるのである。この回動はピン２２の先端部のリンク２０に固設した回動軸２７によりインナーワイヤー２３ａに伝え、ワイヤー２３はセンサーボックス２５に至り、ワイヤーの捩をロータリーエンコーダーやポテンショメー夕ー等により信号に変換され、制御回路に出力される。センサーボックス２５内ではトラクター本体の傾斜も検知され、本機の傾斜角と作業機の傾斜角を制御回路にて演算し、作業機を一定角に保つのである。」（４頁１０行〜５頁１５行）
　以上の記載及び図面第１ないし４図によれば、刊行物１には、以下の発明が記載されていると認められる。
「農用トラクターの後部に、前後方向軸回りに回動自在な回動枢支筒１７を連結し、該回動枢支筒１７にプレート１９及びピン２１を設け、更に、農用トラクターに設けたセンサーボックス２５と該プレート１９及びピン２１とをリンク２０及びワイヤー２３を介して接続して成る２点リンク式作業機装着装置に於いて、
　前記回動枢支筒１７の中央上面側であって、且つ、農用トラクター側近傍にピン２１を設けた作業機水平制御装置。」
　
（２）当審で通知した取消しの理由で引用した刊行物２（実願昭５９−９３１９５号（実開昭６１−７９１０号）のマイクロフィルム（甲第１号証の２））には、次の事項が記載されている。
(2-a).「第３図に示す如く、このトラクター側２Ｐフレーム（４）の回動枢支筒（２）への固定部にアーム（２５）を固定突出し、この先にワイヤ一（７）のインナーワイヤー（７ｂ）を固定している。ワイヤー（７）のアウターワイヤー（７ａ）は回動支持筒（１）の上部から突出したアウター受け（３０）に固定されている。
　本実施例では、ワイヤーにて構成しているが、第１図．第２図の如くセンサーボックス（５）の真下のトラクター側２Ｐフレーム（４Ｌ）（４Ｒ）の（４Ｒ）側にアーム（２５）を設ければ、１本のリンクにて、アーム（２５）とアーム（６）の間を結ぶことも可能であり、この第１図．第２図の実施例の如く構成すれば簡潔な構成とできるのである。」（９頁１７行〜１０頁９行）
　
（３）当審で通知した取消しの理由で引用した刊行物３（特開平２−１７７８０４号公報（甲第１号証の３））には、次の事項が記載されている。
(3-a).「ローリングセンサ（１５）は、ポテンショメータからなり、上記昇降連結体（１４）の筒体（１３）部の側面とヒッチ（６）との間に亘って取付けて、筒体（１３）に対するヒッチ（６）のローリング回動角度を検出する。（３９）はローリングセンサ（１５）の回動軸部から突出するアーム、（４０）はこのアーム（３９）とソケット（１１）との間を連結するロッ
ドである。」（２頁右下欄１２〜１９行）
　
（４）当審で通知した取消しの理由で引用した刊行物４（特開平２−１７７８０５号公報（甲第１号証の４））には、次の事項が記載されている。
(4-a).「ローリングセンサ（１５）は、ポテンショメータからなり、上記昇降連結体（１４）の筒体（１３）部の側面とヒッチ（６）との間に亘って取付けて、筒体（１３）に対するヒッチ（６）のローリング回動角度を検出する。（３９）はローリングセンサ（１５）の回動軸部から突出するアーム、（４０）はこのアーム（３９）とソケット（１１）との間を連結するロッドである。」（３頁右上欄１２〜１９行）
　
（５）当審で通知した取消しの理由で引用した刊行物６（特開昭６０−７８５０３号公報（甲第２号証の２））には、次の事項が記載されている。
(6-a).「トラクタ（Ａ）の水平面に対する左右傾斜角を検出するセンサー（１０）を、トラクタ（Ａ）の後部に設け、」（２頁右下欄８〜９行）
(6-b).第１図及び第２図には、トラクタの機体一側にセンサー（１０）を装着したセットプレートを固設した点が記載されている。
　
（６）当審で通知した取消しの理由で引用した刊行物７（特開平４−４０８０４号公報（甲第２号証の３））には、次の事項が記載されている。
(7-a).「前記ミッションケース（１）の後端面にマイクロスイッチ（８）を設置し、マイクロスイッチ（８）の触針を、前記傾斜センサ（１１）の取付台（９）の前面に接当させるように設けてある。」（２頁右下欄２０行〜３頁左上欄３行）
(7-b).第１図及び第２図には、トラクタに傾斜センサー（１１）を装着したセットプレート及びマイクロスイッチ（８）を装着したセットプレートを固設した点が記載されている。
　
３−３．対比判断
（１）本件発明について
　本件発明と刊行物１に記載された発明とを比較すると、
　刊行物１に記載された発明における、「農用トラクター」、「回動枢支筒１７」、「プレート１９及びピン２１」、「センサーボックス２５」、「２点リンク式作業機装着装置」、「ピン２１」、「作業機水平制御装置」は、
　本件発明の「トラクタ」、「ブラケット」、「作業機スライド検出部材」、「作業機姿勢センサー」、「二点リンク式作業機連結装置」、「リンク止め具」、「作業機姿勢制御装置」にそれぞれ相当する。
　両者は「トラクタの後部に、前後方向軸回りに回動自在なブラケットを連結し、該ブラケットに作業機スライド検出部材を設け、更に、トラクタに設けた作業機姿勢センサーと該作業機スライド検出部材とを接続して成る二点リンク式作業機連結装置に於いて、
　前記ブラケットの中央上面側であって、且つ、トラクタ側近傍に前記作業機スライド検出部材を構成するリンク止め具を設けた作業機姿勢制御装置。」である点で一致し、
次の点で相違する。
（Ａ）本件発明は、「トラクタに設けた作業機姿勢センサーと作業機スライド検出部材とをリンクを介して接続し」た構成であるのに対して、
　刊行物１に記載された発明は、トラクタに設けた作業機姿勢センサーと作業機スライド検出部材とをリンク２０及びワイヤー２３を介して接続し」た構成である点。
　
（Ｂ）本件発明は、「トラクタの機体一側に前記作業機姿勢センサーを装着したセットプレートを固設し、このセットプレートより後方に前記作業機姿勢センサーの回動アームを突出させ、同アームと該作業機スライド部材とを前記ブラケットの上面で、且つ、左右方向に延設されたリンクを介して接続した」構成であるのに対して、
　刊行物１に記載された発明は、上記構成を備えていない点。
　
　上記相違点（Ａ）及び（Ｂ）について検討する。
相違点（Ａ）について
　「トラクタに設けた作業機姿勢センサーと作業機スライド検出部材とをリンクを介して接続し」た構成とすることは周知（例えば、刊行物２、刊行物３、刊行物４がある。）であるから、
　刊行物１に記載された発明において、上記周知技術に基づいて上記相違点（Ａ）の構成とすることは、単なる設計的事項にすぎない。
　
相違点（Ｂ）について
　機体一側等のトラクタの様々な箇所に、センサーを装着したセットプレートを固設する構成とすることは周知（例えば、刊行物６、刊行物７、実願昭６２−１６４１２０号（実開平１−６８７０５号）のマイクロフィルム［第２図及び第３図には、トラクタの機体一側に傾斜センサ（１４）を装着したセットプレートを固設した点が記載されている。］がある。）であり、
　「トラクタに設けた作業機姿勢センサーと作業機スライド検出部材とをリンクを介して接続し」た構成とすることは、上記相違点（Ａ）でも検討しているように周知であるから、
　刊行物１に記載された発明において、上記周知技術に基づいて上記相違点（Ｂ）の構成とすることは、当業者が容易に想到し得る事項である。
　
　そして、本件発明の奏する効果は上記刊行物１に記載された発明及び上記周知技術から当業者が容易に予測し得るものであって、格別顕著なものとも認められない。
　したがって、本件発明は、上記刊行物１に記載された発明及び上記周知技術に基づいて当業者が容易に発明をすることができたものである。
　
３−４．むすび
　以上のとおりであるから、本件発明は、特許法第２９条第２項の規定により特許を受けることができない。
　したがって、本件発明についての特許は拒絶の査定をしなければならない特許出願に対してされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１５年８月１８日（２００３．８．１８）
【訂正の要旨】
審決（決定）の【理由】欄参照。
（５４）【発明の名称】
作業機姿勢制御装置
（５７）【特許請求の範囲】
　【請求項１】　トラクタの後部に、前後方向軸回りに回動自在なブラケットを連結し、該ブラケットに作業機スライド検出部材を設け、更に、トラクタに設けた作業機姿勢センサーと該作業機スライド検出部材とをリンクを介して接続して成る二点リンク式作業機連結装置に於いて、
　前記ブラケットの中央上面側であって、且つ、トラクタ側近傍に前記作業機スライド検出部材
を構成するリンク止め具を設ける一方
前記作業機姿勢センサーを装着したセットプレートを固設し、このセットプレートより後方に前記
の回動アームを突出させ、同アームと
【発明の詳細な説明】
　【０００１】
　【産業上の利用分野】
　本発明はトラクタの後部に設けられる二点リンク式作業機連結装置に関するものであり、特に、作業機姿勢制御装置に関するものである。
　【０００２】
　【従来の技術】
　従来の此種作業機姿勢制御装置としては、特開昭６０−７８５０３号公報記載のものが知られている。該公報記載の作業機姿勢制御装置は、二点リンク式作業機連結装置のブラケットの外周部にギヤを設け、ローリング位置検出センサーの回転操作軸を前記ブラケットの外周部にギヤ連動結合してある。
　【０００３】
　【発明が解決しようとする課題】
　前記公報記載の作業機姿勢制御装置は、二点リンクブラケットの回転動作をローリング位置検出センサーへ伝達する手段として、ギヤを結合させている。従って、部品加工費用が嵩みコスト高になる。そこで、構成を簡素化して低コストの作業機姿勢制御装置を得るために解決すべき技術的課題が生じてくるのであり、本発明はこの課題を解決することを目的とする。
　【０００４】
　【課題を解決するための手段】
　本発明は上記目的を達成するために提案されたものであり、トラクタの後部に、前後方向軸回りに回動自在なブラケットを連結し、該ブラケットに作業機スライド検出部材を設け、更に、トラクタに設けた作業機姿勢センサーと該作業機スライド検出部材とをリンクを介して接続して成る二点リンク式作業機連結装置に於いて、
　前記ブラケットの中央上面側であって、且つ、トラクタ側近傍に前記作業機スライド検出部材
を構成するリンク止め具を設ける一方
前記作業機姿勢センサーを装着したセットプレートを固設し、このセットプレートより後方に前記
の回動アームを突出させ、同アームと
を
　【０００５】
　【作用】
　
作業機
　【０００６】
　【実施例】
　以下、本発明の一実施例を図面に従って詳述する。図１はトラクタを示したものであり、機体１１の後部にロータリ等の作業機１２を連結してある。機体１１の後端部には動力取出軸１３を突出してあり、この動力取出軸１３の前後方向軸回りに回動自在なブラケット１４を設け、該ブラケット１４の左右に突出した昇降軸１５，１５に作業機１２の作業ブラケット１６，１６を連結する。
　【０００７】
　機体１１の後部に設けた一対のリフトアーム１７，１７にロッド１８及びローリングシリンダ（図示せず）を接続し、ロッド１８及びローリングシリンダの下端を前記作業ブラケット１６，１６に連結して二点リンク式作業機連結装置を構成している。尚、図示は省略するが、動力取出軸１３の動力は自在継手等を経て作業機１２へ伝動される。
　【０００８】
　図２は前記ブラケット１４の要部を示し、ギヤケース１９から後方へ動力取出軸１３が突出しており、この動力取出軸１３を中心にブラケット１４が回動自在に装着されている。ブラケット１４の上部にはプレート２０によりマット２１が固着され、該プレート２０の左右中間位置に止め具２２を設け、この止め具２２にピローボール２３を止着して作業機スライド検出部材２４を構成している。
　【０００９】
　一方、ギヤケース１９の一側部にはセットプレート２５を固設し、ここに作業機姿勢センサー２６、水平センサー２７、リフトアーム角センサー２８を装着する。作業機姿勢センサー２６のアーム２９と前記ピローボール２３とをリンク３０を介して接続し、作業機スライド検出部材２４の動作を作業機姿勢センサー２６へ伝動するようにしてある。尚、リンク３０はターンバックルを使用して調整自在にする。また、リフトアーム１７の側面にピン３１を突設し、リフトアーム角センサー２８のアーム３２をこのピン３１へ係止して、リフトアーム１７の回動角をリフトアーム角センサー２８が読み取れるように構成する。
　【００１０】
　而して、作業機１２が左右にローリングしたときは、ブラケット１４が動力取出軸１３を中心に軸回りに回動する。然るときは、図２の矢印Ａに示すように昇降軸１５，１５が上下に揺動するとともに、矢印Ｂに示すように作業機スライド検出部材２４が左右に移動する。作業機スライド検出部材２４の矢印Ｂ方向の動きは、リンク３０を介してアーム２９へ伝わり、該アーム２９が回動して作業機姿勢センサー２６がブラケット１４の回動量を検出する。そして、作業機姿勢センサー２６の検出値と、前記水平センサー２７及びリフトアーム角センサー２８の各検出値に基づき、作業機１２の姿勢が設定範囲内に維持されるように制御される。図３に制御装置のブロック図を示す。
　【００１１】
　一方、図４に示すように、ブラケット１４の止め具２２にターンバックル３３の一端を係止して、作業機スライド検出部材２４を構成してもよい。そして、フェンダ３４によってセットプレート２５を被蔽する。図２及び図４の何れの構成に於いても、一枚のセットプレート２５に各センサーが集中して装着されているため、部品取り付け及び配線の手間が集約され、且つ、フェンダ３４により各センサーを集中的に防水、防泥することができる。
　【００１２】
　図５は他の実施例を示し、ブラケット１４の止め具２２に直接作業機姿勢センサー２６を固着し、ギヤケース１９側のプレート３５にターンバックル３６の一端を枢着するとともに、作業機姿勢センサー２６のアーム３７にターンバックル３６の他端を枢着する。而して、作業機１２が左右にローリングしたときは、ブラケット１４の回動に伴って作業機姿勢センサー２６も一体的に移動する。図６に示すように、例えば機体に対してブラケット１４が二点鎖線の位置へ回動した場合、作業機姿勢センサー２６もブラケット１４と一体に回動する。ターンバックル３６の一端はプレート３５に枢着されて移動しないため、アーム３７の先端は元の位置から殆ど移動せず、作業機姿勢センサ２６に対して相対的にアーム３７が回動し、ブラケット１４の回動量を検出する。
　【００１３】
　尚、本発明は、本発明の精神を逸脱しない限り種々の改変を為すことができ、そして、本発明が該改変されたものに及ぶことは当然である。
　【００１４】
　【発明の効果】
　本発明は上記実施例に詳細したように、作業機が左右にローリングしたときには、ブラケットがトラクタの前後方向軸回りに回動する。このとき
、
。
【図面の簡単な説明】
　【図１】
トラクタの側面図。
　【図２】
一実施例を示すブラケットの要部斜視図。
　【図３】
制御装置のブロック図。
　【図４】
他の実施例を示すブラケットの要部斜視図。
　【図５】
他の実施例を示すブラケットの要部斜視図。
　【図６】
作動状態を示す解説図。
　【符号の説明】
　１２　　　　作業機
　１４　　　　ブラケット
　
２２　　　　リンク止め具
　２４　　　　作業機スライド検出部材
　２６　　　　作業機姿勢センサー
　３０　　　　リンク